(57)【要約】【課題】バーベキューコンロに焼き網の回転機能と全面送風装置を備えると共に、双方を１個のハンドルもしくはモーターによって駆動させる事。【解決手段】上記課題を解決するために、コンロ本体をドーナツ型にする事で中央の筒部内に送風羽根を設置すると共に、一本のハンドルから焼き網方向と送風装置へ２ロッドに分割した動力伝達方式として両方を一度に回転させる機能を持たせた。【選択図】　図１
2004097762.tif 000002
【特許請求の範囲】
【請求項１】
Ｕ字型の金属を丸めて一体とし、底を平面とした形状となっている構造を特長とするドーナツ型の炭火用焼肉コンロであって、中央の開口筒部内に軸止された軸棒に保持された送風羽根を備えていると共に、軸棒片端のベベルギアにより連接されたロッドがコンロ本体側面に伸び、先端具のハンドル回転操作によってコンロ内に送風される構造となっている事を特長とする送風装置を備えた回転式バーベキューコンロ。
【請求項２】
請求項１に記載のロッドとハンドルの間にもベベルギアが装備されている形態により、コンロ側面の上部へ向かうシャフトへも動力が伝達する構造をなして焼き網外周に加工された溝ギアと連動し、ハンドル回転操作によって焼き網も送風羽根と同時に回転動作する形態となっている事を特長とする送風装置を備えた回転式バーベキューコンロ。
【請求項３】
空気取り入れ窓がコンロ中央の開口筒部全周に備えられると共に、ほぼ同形状の開閉シャッターが窓の内周に装備されている事を特長とする送風装置を備えた回転式バーベキューコンロ。
【発明の詳細な説明】
【０００１】
【発明の属する技術分野】本発明はバーベキューなどの焼肉に利用される炭火用焼肉コンロの構造に関する。
【０００２】
【従来の技術】従来の炭火用焼肉コンロは、丸や長方形をなした炭燃焼部となるコンロ本体に直接焼き網を乗せた形態で肉や魚、野菜などを焼くのが一般的であり、普通のコンロとの相違は五徳を用いていないところである。
【０００３】また、炭火を用いる焼肉コンロは炭に火を付ける時や、火力を上げるために団扇で扇ぐ事が当然の作業となっており、本体には複数の開閉空気窓が設けられている。
【０００４】送風装置を備えた炭火用バーベキューコンロも存在するが、従来構造のコンロでは一方向から送風するしかなく、全面を効果的に送風する事は出来ない欠点がある。
【０００５】
【発明が解決しようとする課題】焼肉コンロは主に生火が直接肉を焼く形態のため、焼きムラが生じ易い難しさがあり、特に焼き鳥やバーベキューなどを大量に焼く場合に均一に焼き上げるにはかなりの技術を要するのである。
【０００６】このような問題は個人で使用する場合には仕方がないとしても、例えば露店営業やイベント会場などで焼き具合の不完全な焼肉を提供する事は苦情の原因となり、無視出来ない重大な課題となっているのである。
【０００７】また炭を使ったものはガスと違い肉が美味しく体に安全に焼ける利点があるが燃焼を促すうちわ扇ぎが欠かせない手間が掛かるのである。しかもコンロの構造上全面を効果的に扇ぐのは難しくまた非常に面倒である。特に炭に火が回るまでの火付け時が大変で炭火を用いる焼肉コンロの重大な課題となっている。
【０００８】更に、炭火用焼肉コンロは空気量不足になりやすいため、複数の大きな窓が本体側面に設けられる構造である。従って始末時に灰などがこぼれやすく誠に不便であった。
【０００９】そして、焼肉といえば食事をする事ではあっても、肉が焼かれる過程を体験したりビールを飲むなど人が集まる宴会的な楽しさを味わう事を目的としている面もある。従って焼き網が回転するという焼き方が出来ればそれだけで楽しみが倍増する事になり、露店や各行事では集客効果が極めて高くなるのである。
【００１０】
【課題を解決する為の手段】以上の課題を全てまとめて解決する所が本発明の特長であり、コンロへの送風と回転する焼き網機能をハンドル、もしくはモーターを回す事によって同時に実現するものである。
【００１１】課題を解決する技術の最大の特徴はドーナツ形状の本体であり、結果的に出来る中央の筒部に送風羽根を設置出来るため全周隈なく効果的な送風が可能にすると共に、焼き網が中央の軸に保持されるため回転をスムーズに行なう事が出来る。
【００１２】しかもドーナツ形状は同じ燃料を使用する面積でも焼き面の周囲が大きく取れる形態となるため人数の多いイベントでは各自がコンロを囲みやすくなる利点もある。
【００１３】そして請求項２の発明により、空気取り入れ窓も中央の筒部に集約しており、スライドシャッターを装備する構造により空気調整が１箇所で済むと共に、シャッターを閉じれば灰がこぼれる問題も解決しているのである。
【００１４】このように本発明ではコンロ全体に万遍なく送風する事を求めるものでドーナツ型構造が実現している。しかも燃料の効率化、ファンの設置、効率的送風作業など全てに勝る画期的な構造である。
【００１５】
【発明の実施の形態】開口筒部の大きさは特に限定するものではないが、概ねコンロ全体直径の３分の１から４分の１程度である。
【００１６】そして空気窓は縦長の穴が開口筒部外周に万遍なく配置されるが、桝目が交互に並びスライドするシャッターの桝目の並びとの合致によって開閉される構造である。
【００１７】送風羽根は開口筒部中央に掛止めされた軸棒に軸止されており、軸棒最下部のギア装置とロッドによってハンドルと連結される。従ってハンドルはコンロ本体の側面下部に突出された位置まで伸び手で回す事が出来る。
【００１８】上記ハンドルはジョイント部から着脱可能構造をなしており、モーター装置に替える事も可能である。
【００１９】モーター装置はＡＣ１００ボルト用やバッテリー用が選べ低速モーターを使用するが、これは概ねコンロの大きさによって選ぶ事になる。
【００２０】焼き網はコンロ本体と同形のドーナツ型となっており、軸が伸びて送風羽根の軸棒頂部に保持される。従って焼き網はコンロ本体から外れ落ちる問題を阻止しており安全構造である。
【００２１】このように、ハンドル操作によって焼き網と送風羽根を同時に回転させる方式であるが、常時送風されてもシャッター開閉によって火力が強くなりすぎる問題は起きないのである。
【００２２】構造的な課題は焼き網の回転スピードはゆっくりであり、送風羽根は速い必要があるため１個のハンドル、もしくはモーターのまま対応するにはギア比による回転調整を行なう必要がある。
【００２３】これには幾つかの方法があり、特に限定はしないが本例では動力伝達を２系統に分離させる方式とした。すなわち送風羽根に対してはハンドルの軸回転と同比率で伝え、焼き網に対しては軸回転が焼き網外周に伝達されるため低速となるため双方に適度な回転速度を実現している。
【００２４】本発明では炭火コンロを前提にしているが、例えば、送風羽根を省けば焼き網の回転機能はガスコンロにも有効で、その場合筒部にバーナーを設置する事も可能である。
【００２５】
【実施例】実施例を図面を参照して説明する。図１は本発明の焼肉コンロの全体を示す斜視図である。コンロ本体Ａは中央の開口筒部Ｂによってドーナツ構造をなしている。そしてコンロ本体は脚Ｈに支持され焼き網Ｃが天板面に乗せられる。
【００２６】焼き網Ｃの外周は溝ギアＣ−１加工がなされており、ハンドルの回転動力を受ける形態となっている。
【００２７】送風羽根Ｅは軸棒Ｆに軸止され、軸棒下部のベベルギアＦ−１と連動するロッドＦ−２が本体側面下部まで伸び軸ハンドルＤと一体となると共に、ロッドジョイント３０によりハンドルが着脱可能となっている。
【００２８】また、ロッドとハンドルの間にもベベルギアＧが装備され本体側面を上に向かうロッドＧ−１と連接される。そしてロッドの先端の丸ギアＧ−２が焼き網外周に加工された溝ギアＣ−１を捉えハンドル操作によって送風羽根と焼き網の両方を同時に回す事を可能にしている。
【００２９】本体内部は１段目が空気層１０で炭台となる網Ａ−１が４箇所の止め具Ａ−２に乗せられている。
【００３０】開口筒部の外周面に縦長の空気窓Ｂ−１が複数設けられ、送風羽根Ｅからの風をコンロ内に万遍なく取り入れる形態となっていると共に、窓と交互に隙間を有するシャッターＢ−２が筒部の内周に装備され、スライドさせる事によって空気窓の開閉を行なう構造である。
【００３１】
【効果】コンロ自体は安定設置され、焼き網のみを回転させるため構造が簡単で安価に提供出来るのである。そして中央筒内に送風装置が設置出来る構造によって理想的な送風が行なわれ炭火用の焼肉コンロの欠点であった火付きの悪さや火力調整を簡単にすると共に、シャッター付きの空気窓によって始末時に灰が散らかる問題も解決している。
【００３２】しかもドーナツ構造の焼肉コンロは面積の割に間口が広く、複数で利用される事が多い焼肉コンロでは極めて優れた構造である。
【００３３】そして、一般用には手動ハンドルによって送風、焼き網回転機能で十分楽しめるが、業務用ではモーター装置と交換しても良く、その場合肉が自動的に回って焼かれるパフォーマンスが焼肉を楽しむ人々を更に引き付ける魅力を持っており集客能力は極めて大きいものとなる。
【００３４】なにより、焼き網を回転させる事が出来る機能はムラのない焼きが可能で、焼き鳥やバーベキューなど難しい食材もプロ並の仕上げが実現する実用的な焼肉コンロとなる。
【図面の簡単な説明】
【図１】本発明の炭火用焼肉コンロの全体例を示す斜視図である。
【図２】図１の平面図である。
【図３】図１の側面図である。
【図４】モーター及びハンドルによる回転機能の説明図である。
【符号の説明】
Ａ：コンロ本体
Ａ−１：中敷き網
Ａ−２：受け具
Ｂ：開口筒部
Ｂ−１：空気窓
Ｂ−２：シャッター
Ｃ：焼き網
Ｃ−１：溝ギア
Ｄ：ハンドル
Ｅ：送風羽根
Ｆ：軸棒
Ｆ−１：ベベルギア
Ｆ−２：ロッド
Ｇ：ベベルギア
Ｇ−１：ロッド
Ｇ−２：丸ギア
Ｈ：脚
１０：空気層
２０：モーター
２１：バッテリー
２２：スイッチ
３０：ロッドのジョイント
４０：モーター取り付けケース
４１：ネジ止め
【図１】
2004097762.tif 000003
【図２】
2004097762.tif 000004
【図３】
2004097762.tif 000005
【図４】
2004097762.tif 000006